(57)【要約】【課題】シートの厚さを過度に厚くすることなく必要な強度を確保することができ、内容物の視認性に優れた包装用容器の蓋とその蓋を備えた包装用容器を提供する。【解決手段】透明な合成樹脂製シートからなり、容器本体１と嵌合する構成の包装用容器の蓋２であって、多角形状である平面状の天面部２０と、該天面部２０の周縁部から下方へ垂下する垂下面部２１と、下側且つ外側に向けて傾斜して延びる傾斜側面部２２と、該傾斜側面部２２から外側に延設されたフランジ部２３とを備え、垂下面部２１の下端部と傾斜側面部２２の上端部は、水平方向に延びる水平面部２４を介して接続されており、該水平面部２４の幅は、一対の長辺において両角部から辺中央部にかけて次第に狭くなっている。【選択図】図１
2019018869.tif 000002
【特許請求の範囲】
【請求項１】
透明な合成樹脂製シートからなり、容器本体と嵌合する構成の包装用容器の蓋であって、
多角形状である平面状の天面部と、該天面部の周縁部から下方へ垂下する垂下面部と、下側且つ外側に向けて傾斜して延びる傾斜側面部と、該傾斜側面部から外側に延設されたフランジ部とを備え、
垂下面部の下端部と傾斜側面部の上端部は、水平方向に延びる水平面部を介して接続されており、該水平面部の幅は、多角形状の少なくとも一辺において両角部から辺中央部にかけて次第に狭くなっていることを特徴とする包装用容器の蓋。
【請求項２】
前記多角形状は長方形状であり、該長方形状の一対の長辺において、水平面部の幅が両角部から辺中央部にかけて次第に狭くなっている請求項１記載の包装用容器の蓋。
【請求項３】
前記辺中央部において、水平面部が実質上存在せずに垂下面部の下端部と傾斜側面部の上端部が直接接続されている請求項１又は２記載の包装用容器の蓋。
【請求項４】
容器本体と請求項１乃至３の何れかに記載の蓋とを備えた包装用容器であって、
容器本体の底面部の下面には、包装用容器同士が積み重ねられた際に蓋の垂下面部と係合して包装用容器同士の水平方向の位置ずれを防止する係合部が形成されていることを特徴とする包装用容器。
【発明の詳細な説明】
【技術分野】
【０００１】
本発明は、包装用容器の蓋とそれを備えた包装用容器に関する。
【背景技術】
【０００２】
近年、唐揚げやポテト、中華総菜、寿司等の様々な惣菜等を多くの人数で食することができるように、それらの惣菜等がオードブル用の容器に入れられて販売されている。この種の容器では、４〜６人などの多人数で食することができるように容器自体が大型化される。また、収容したこれらの食品が持つおいしさを蓋を通してそのままに表現できるように、蓋には、内容物である食品を良好に視認できる性能が求められる。そのため、蓋の天面部はもちろん、蓋の傾斜した側面部にも補強のためのリブを設けない構造が求められるが、補強リブなしで蓋の強度を保つためには、蓋を製造するための透明シート材料の厚みを厚くして強度を向上させることが必要になる。しかしながら、蓋のシートを厚いものにすると、蓋が重くなるうえに蓋自体が硬くなり、容器本体に嵌合している蓋を開けにくくなるという問題がある。
【０００３】
下記特許文献１では、串物や寿司、唐揚げ等の多くの食品を収容するために、仕切を設けたオードブル用の容器が提案されている。この容器に使用されている蓋は、天面部の周縁部から垂下した垂下面部の下端部と傾斜側面部の上端部が接続した構成となっている。このように蓋における垂下面部の下端部と傾斜側面部の上端部とが接続した構成では、蓋を通した食品の視認性は良好であるものの、蓋の強度が不足しやすい。そのため、蓋の強度を確保するために上述のように蓋のシートの肉厚を厚くする必要があり、蓋が開けにくくなるという問題がある。
【０００４】
また、下記特許文献２に記載された蓋には、垂下面部と傾斜側面部との間に、上下二段の水平面部が全周に亘って設けられている。このように垂下面部と傾斜面部との間に全周に亘って上下二段の水平面部を設けると、蓋の強度は向上するものの、斜め上方から蓋を通して内部の食品を見ようとした場合に、上下二段の水平面部が妨げとなって食品の視認性が悪くなる。また、傾斜側面部が上下方向の中間部において屈曲していることからも良好な視認性が得られない。
【先行技術文献】
【特許文献】
【０００５】
【特許文献１】特開２０１６−９８０２２号公報
【特許文献２】特開２００９−２９４６３号公報
【発明の概要】
【発明が解決しようとする課題】
【０００６】
それゆえに本発明は上記従来の問題点に鑑みてなされ、シートの厚さを過度に厚くすることなく必要な強度を確保することができ、内容物の視認性に優れた包装用容器の蓋とその蓋を備えた包装用容器を提供することを課題とする。
【課題を解決するための手段】
【０００７】
本発明は、上記課題を解決すべくなされたものであって、本発明に係る包装用容器の蓋は、透明な合成樹脂製シートからなり、容器本体と嵌合する構成の包装用容器の蓋であって、多角形状である平面状の天面部と、該天面部の周縁部から下方へ垂下する垂下面部と、下側且つ外側に向けて傾斜して延びる傾斜側面部と、該傾斜側面部から外側に延設されたフランジ部とを備え、垂下面部の下端部と傾斜側面部の上端部は、水平方向に延びる水平面部を介して接続されており、該水平面部の幅は、多角形状の少なくとも一辺において両角部から辺中央部にかけて次第に狭くなっていることを特徴とする。
【０００８】
該構成の包装用容器の蓋にあっては、垂下面部の下端部と傾斜側面部の上端部との間に水平面部が設けられていて、その水平面部は角部において幅広となっているので、厚いシートでなくても強度を容易に確保することができる。従って、内容物として食品を収容した蓋付きの容器を積み重ねた際においても、蓋の変形を防止できて安定した積み重ね状態が得られる。また、厚いシートを使用しなくてもよいので、蓋が開けにくいという現象が起こりにくい。一方、多角形状の少なくとも一辺において両角部から辺中央部にかけて水平面部の幅が次第に狭くなっているので、その辺中央部における視認性の低下を最小限に抑制できる。従って、食品のおいしさを視覚を通じて消費者に正確に伝えることができる。
【０００９】
特に、前記多角形状が長方形状である場合には、その長方形状の一対の長辺において、水平面部の幅が両角部から辺中央部にかけて次第に狭くなっていることが好ましい。長辺は短辺に比して食品の視認性に与える影響度合いが大きい。従って、一対の長辺において両角部から辺中央部にかけて水平面部の幅が次第に狭くなっていると、一対の長辺の辺中央部近傍から食品を正確に視認できる。尚、長方形状の一対の短辺については、水平面部の幅は一定であってもよいし、一対の長辺と同様に両角部から辺中央部にかけて次第に狭くなっていてもよい。
【００１０】
また、前記辺中央部において、水平面部が実質上存在せずに垂下面部の下端部と傾斜側面部の上端部が直接接続されていることが好ましく、辺中央部における視認性をより一層向上させることができる。
【００１１】
また、本発明に係る包装用容器は、容器本体と上記構成の蓋とを備えた包装用容器であって、容器本体の底面部の下面には、包装用容器同士が積み重ねられた際に蓋の垂下面部と係合して包装用容器同士の水平方向の位置ずれを防止する係合部が形成されていることを特徴とする。
【発明の効果】
【００１２】
以上のように、蓋の垂下面部の下端部と傾斜側面部の上端部との間に水平面部が設けられていてその水平面部が角部において幅広に形成されているので、蓋の強度を容易に確保することができ、積み重ね時の荷重にも耐えうる。従って、シート厚を過度に厚くする必要がなく、薄いシートであっても強度を確保することができる。そのため、開蓋時に蓋が開けにくくなるということがない。また、水平面部の幅が両角部から辺中央部にかけて次第に狭くなっているので、辺中央部近傍において良好な視認性が確保され、内容物である食品のおいしさを視覚を通じて消費者に正確に伝えることができる。
【図面の簡単な説明】
【００１３】
【図１】本発明の一実施形態における包装用容器の開蓋状態を示す斜視図。
【図２】同包装用容器の蓋を示す平面図。
【図３】同蓋の正面図。
【図４】図２のＤ−Ｄ端面図。
【図５】図４の要部拡大図。
【図６】同蓋の要部拡大端面図であって、（ａ）は図２のＡ−Ａ線で切断したときの端面図、（ｂ）は図２のＢ−Ｂ線で切断したときの端面図、（ｃ）は図２のＣ−Ｃ線で切断したときの端面図。
【図７】同包装用容器の容器本体を示す底面図。
【図８】同包装用容器同士の積み重ね状態における上位の容器本体の底面部と下位の蓋の天面部との関係を示す概略底面図。
【図９】（ａ）及び（ｂ）は同包装用容器同士の積み重ね状態における上位の容器本体と下位の蓋との関係を示す概略端面図。
【図１０】本発明の他の実施形態における包装用容器の蓋を示す平面図。
【発明を実施するための形態】
【００１４】
以下、本発明の一実施形態に係る包装用容器について図１〜図９を参酌しつつ説明する。以下、包装用容器を単に容器と称することがある。容器は、各種の内容物を収容可能な蓋付きの包装用容器であって、内容物としては特に各種の食材が好適である。その中でも特に、多人数用の食材を収容する用途に適しており、唐揚げやポテト、中華総菜、寿司等の様々な惣菜等を入れるオードブル用の容器として好適であり、また、焼き肉用やしゃぶしゃぶ用の肉、各種の鍋用の食材を盛り付けて入れる容器としても好適である。
【００１５】
容器は、図１に示すように、上面開口の容器本体１と、該容器本体１の上面開口部を閉塞すべく容器本体１に上側から被せられるようにして着脱可能に嵌合される透明な蓋２とを備えている。容器本体１と蓋２は何れも合成樹脂製シートを熱成形することにより形成されている。そして、この容器は、輸送時や陳列時に閉蓋状態で上下に積み重ねられる。
【００１６】
容器は平面視多角形状であり、四角形や五角形、六角形、八角形等の形状であってよいが、特に、正方形状又は長方形状である方形状であることが好ましい。尚、各辺が外側に膨らむように湾曲していたり逆に内側に凹むように湾曲していたりしてもよい。また、各辺間の頂点も面取りされていたり角丸状等であってもよい。本実施形態では平面視長方形状の包装用容器を例に説明する。
【００１７】
＜容器本体１＞
容器本体１は、底面部１０と、該底面部１０の周縁部から外側に拡開しつつ上方に立ち上がる本体側面部１１と、該本体側面部１１の上端部から外側に延設された本体フランジ部１２とを有している。
【００１８】
底面部１０は平面視長方形状に形成されている。底面部１０は、上側に盛り上がった形状であってよく、具体的には周縁部から中央部にかけて上側に膨出した形状であってよく、この盛り上がり形状とされた盛り付け面によって、その上に盛り付けられた食材にボリューム感を与えることができる。底面部１０の盛り付け面のうち最も盛り上がった箇所の高さは、本体側面部１１の上端部あるいは本体フランジ部１２の上面の高さと略等しくしてよく、それらの高さよりも高くしてもよい。底面部１０の上面には凸部や凸条を適宜形成してよい。底面部１０の上面の周縁部には溝１４を設けておくことが好ましい。底面部１０の盛り付け面には上側に向けて仕切り壁１３を突設させてもよい。仕切り壁１３によって底面部１０の盛り付け面及び収容空間を複数に区画することができる。仕切り壁１３の高さは、本体側面部１１の上端部あるいは本体フランジ部１２の上面の高さよりも高いことが好ましい。
【００１９】
底面部１０の下面の周縁部には下方に向けて脚部１５を突設してよい。該脚部１５の形状、配置は任意であって、周縁部に沿って例えば全周に亘って脚部１５が形成されていてもよいし、図７及び図８のように底面部１０の四つの角部にそれぞれ独立して例えば底面視Ｌ字状に脚部１５が形成されていてもよい。脚部１５の下側への凸形状は、底面部１０の溝１４の凹形状に対応している。
【００２０】
底面部１０の下面に脚部１５を突設すると、容器本体１を平坦なテーブル等の載置面に載置した際に、その載置面に脚部１５の下面が当接する。尚、図８において載置面に当接する部分である脚部１５の下面には、多数のドットを付して示している。また、底面部１０の下面に脚部１５を突設した場合には、図９のように、閉蓋状態の容器同士を積み重ねた際に、上位の容器本体１の脚部１５が下位の蓋２の傾斜側面部２２の上部に当接あるいは若干の隙間を介して対峙することが好ましく、それにより容器同士の水平方向の位置ずれを防止できる。
【００２１】
底面部１０の下面のうち脚部１５よりも内側の領域は、底面部１０の上面の上側への膨出形状に対応して、周縁部から中央部にかけて徐々に深くなるように凹んでいてよい。その場合、底面部１０の下面のうち脚部１５よりも内側の領域であって脚部１５に近い周縁部には、閉蓋状態の容器同士を積み重ねた際に下位の容器の蓋２の天面部２０の上面に当接する支持用凸部１６が形成されていることが好ましい。尚、図８には蓋２の天面部２０の外縁及び垂下面部２１を二点鎖線で示している。底面部１０の下面のうち脚部１５よりも内側の領域は湾曲形状となっているが、支持用凸部１６の下面１６ａは平坦面となっている。図９（ａ）にも示しているように、積み重ね時に支持用凸部１６の下面１６ａが下位の蓋２の天面部２０の周縁部の上面に当接する。支持用凸部１６の下面１６ａは、脚部１５の下面よりも高い位置にある。支持用凸部１６は間隔をあけて複数形成されることが好ましく、本実施形態では各辺毎に一カ所ずつ合計四箇所形成されている。
【００２２】
底面部１０の下面であって脚部１５よりも内側の領域には、閉蓋状態の容器同士を積み重ねた際の水平方向の位置ずれを防止するために、係合部としての係合凸部１７が島状に突設されていることが好ましい。係合凸部１７は、容器の縦横二方向の位置ずれを防止できるように構成され、配置されていることが好ましい。具体的には、係合凸部１７は各辺毎に一箇所ずつ合計四箇所設けられていることが好ましい。係合凸部１７は脚部１５の内側の近傍に配置されていて、支持用凸部１６よりも外側に位置しており、係合凸部１７と支持用凸部１６は互いに縦方向又は横方向に位置をずらして配置されている。図８及び図９（ｂ）のように係合凸部１７は、積み重ね時に下位の蓋２の垂下面部２１の外側に位置し、係合凸部１７の内側の側面１７ａが下位の蓋２の垂下面部２１に外側から当接あるいは若干の隙間を介して対峙する。従って、積み重ね時に下位の蓋２の垂下面部２１は、四箇所の係合凸部１７の内側に係合して位置することとなり、四箇所の係合凸部１７によって容器の縦方向及び横方向の位置ずれが防止される。尚、係合凸部１７は、脚部１５の下面よりも高い位置にある。
【００２３】
本体フランジ部１２の形状、構成は種々のものであってよいが、上面が上側に湾曲した玉ぶち形状であってもよいし、上面に凹凸を設ける等して装飾してもよい。その場合、後述する蓋２の蓋フランジ部２３にも本体フランジ部１２に対応して凹凸をつける等して装飾を施してもよい。また、本体フランジ部１２の最外周部には本体縁取り部１８が全周に亘って形成されることが好ましい。本体縁取り部１８は、本体フランジ部１２の外縁となる部分であって、外側に向けて略水平に延びていることが好ましい。
【００２４】
本体フランジ部１２には蓋２との嵌合構造を備えることができ、内嵌合構造であってもよいが、本実施形態では蓋フランジ部２３が本体フランジ部１２の外側を覆う外嵌合構造が採用されている。閉蓋状態において、蓋フランジ部２３の内面に形成された係止突起２５が本体縁取り部１８の下側に係止する。
【００２５】
＜蓋２＞
次に蓋２の構成について説明する。蓋２は、容器本体１に対応した平面視形状に形成されており、上述したように本実施形態では容器本体１が平面視長方形状であるため、それに対応して蓋２も平面視長方形状となっている。蓋２は、天面部２０と、該天面部２０の周縁部から下側に垂直に近い角度で垂下した垂下面部２１と、該垂下面部２１の外側に形成され、下側且つ外側に向けて傾斜して延びる傾斜側面部２２と、該傾斜側面部２２の下端部から外側に延設された蓋フランジ部２３とを備えている。
【００２６】
天面部２０は、平面状であって、リブ等の凹凸のない平坦な滑面で構成されている。天面部２０は、水平面であって、平面視長方形状であり、四つの辺と四つの頂点である角部を有しており、四つの辺は、互いに対向する一対の長辺と、互いに対向する一対の短辺からなる。各辺は外側に膨らむように湾曲していてよい。垂下面部２１は全周に亘って高さ略一定に形成されており、従って、垂下面部２１の下端部の高さは全周に亘って略一定である。
【００２７】
垂下面部２１と傾斜側面部２２との間に水平方向に延びる水平面部２４が形成されている。垂下面部２１の下端部と傾斜側面部２２の上端部との間に水平面部２４が形成されていて、垂下面部２１の下端部と傾斜側面部２２の上端部とは水平面部２４を介して接続されている。水平面部２４は、垂下面部２１の下端部から外側に向けて延びており、従って、水平面部２４の内縁部が垂下面部２１の下端部となり、水平面部２４の外縁部が傾斜側面部２２の上端部となる。
【００２８】
水平面部２４は全周に亘って幅一定ではない。水平面部２４は、少なくとも一対の長辺においては幅略一定ではなく幅が変化している。本実施形態では一対の短辺においては水平面部２４が幅略一定となっているが、一対の短辺においても一対の長辺と同様に幅が変化していてもよい。一対の長辺において、水平面部２４は、両角部で最も幅広となっていて、その両角部から辺中央部にかけて徐々に幅が狭くなっている。そして、本実施形態では、一対の長辺の辺中央部において水平面部２４の幅が実質上０となっていて、一対の長辺の辺中央部には、水平面部２４が実質上存在していない接続部２６が設けられている。従って、この接続部２６においては、垂下面部２１と傾斜側面部２２とが水平面部２４を介さずに直接接続されていて、垂下面部２１の下端部が傾斜側面部２２の上端部となっている。長辺の辺中央部において水平面部２４が実質上存在しない領域である接続部２６は、一点であってもよいが、本実施形態のように所定長さを有していてもよく、その長さは数ｃｍ程度であってよく、長辺の例えば略１／３程度の長さであってもよい。尚、一対の長辺の辺中央部において水平面部２４が消滅せずに所定幅で残存していてもよい。
【００２９】
傾斜側面部２２は、その上端部から下端部にかけて外側に膨出するように緩やかに湾曲した形状となっていてよい。また、傾斜側面部２２は、各角部においては、水平方向に沿って外側に膨出するように湾曲していて、本実施形態では各辺部においても水平方向に沿って外側に膨出するように湾曲しているが、その曲率半径は、各辺部において大きく、各角部において小さくてよい。何れにしても、傾斜側面部２２は、全周に亘って滑らかに連続した面構成となっていることが好ましい。このように傾斜側面部２２は、その大部分がリブ等の凹凸のない滑面から構成されている。
【００３０】
傾斜側面部２２の下端部には、蓋２同士を重ね合わせた際に蓋２同士がきつく嵌り合って離れなくなる現象（ブロッキング現象）を防止するためのブロッキング防止用凸部２７を形成しておくことが好ましい。ブロッキング防止用凸部２７を設けた場合には、そのブロッキング防止用凸部２７を除いた傾斜側面部２２の全領域が、凹凸のない滑面とされることが好ましい。ブロッキング防止用凸部２７の配置は等間隔ではなく、また、蓋２毎にその位置を周方向にずらすようにして形成される。尚、容器本体１にも同様のブロッキング防止用凸部を設けてもよい。
【００３１】
傾斜側面部２２の下端部から外側に向けて蓋フランジ部２３が延設されている。蓋フランジ部２３は、閉蓋状態において本体フランジ部１２の上側から外側にかけて位置する。蓋フランジ部２３は、具体的には、傾斜側面部２２の下端部から外側に略水平に延設されたフランジ上面部２３１と、該フランジ上面部２３１の外縁部から下側に向けて全体として外側に傾斜しつつ延びるスカート部２３２とを備えていてよい。また、スカート部２３２の外側には全周に亘って蓋縁取り部２３３が設けられることが好ましい。
【００３２】
閉蓋状態において、フランジ上面部２３１は本体フランジ部１２の上側に対向して位置し、スカート部２３２は本体フランジ部１２の外側に位置する。フランジ上面部２３１に凹凸を設ける等して装飾を施してもよく、上述のように、本体フランジ部１２の上面に凹凸等を設ける場合にはそれに対応してフランジ上面部２３１やスカート部２３２に凹凸等を設けてよい。スカート部２３２の下部の内面には内側に向けて係止突起２５が突設されており、閉蓋状態において、係止突起２５が本体縁取り部１８の下側に係止する。
【００３３】
本体縁取り部１８や蓋縁取り部２３３の少なくとも外周縁側には、極細の多数の凹凸を形成し、補強するとともに、指などがあたっても、指などを切ることがないようにされてよい。この凹凸は、正面から拡大して見たときに波形状とされ、多数の山と谷の方向が、各辺においては幅方向に短く形成され、角部においては平面視放射方向に沿って形成される。また、この凹凸は、例えば、平目ローレット目や綾目ローレット目のようなローレット目によって形成され、さらには、滑りにくいようにするため、綾目ローレット目によって形成することが好ましい。
【００３４】
容器本体１及び蓋２はいわゆるシート成形により形成されている。シート成形としては例えば真空成形、圧空成形、真空圧空成形、両面真空成形、熱板成形等があり、何れにしても合成樹脂製シートを熱成形することにより形成される。合成樹脂製シートは、例えばポリエチレンテレフタレートやポリスチレンなどのスチレン系樹脂や、ポリプロピレンやポリエチレンなどのオレフィン系樹脂などからなり、特に、蓋には透明なものが使用される。容器本体１にも透明なシートを用いてもよい。また、これらのシートを適宜延伸処理した延伸シートは、透明性を担保したまま、耐熱性の向上や強度向上を図れることからより好ましいシートの素材である。
【００３５】
また、容器本体１には、これらの素材に加えて、透明で無い素材、例えば前述の合成樹脂に無機物を充填したシート、もしくはこれらのシート素材を発泡させた発泡シートなどを使用できる。尚、ポリスチレンを発泡させた発泡ポリスチレンシートや、ポリスチレンとして耐熱性に優れたポリフェニレンエーテルなどを含有させた耐熱性を向上させたスチレン系樹脂を使用した耐熱性発泡スチレン系樹脂シートであってもよい。さらに、発泡シートに印刷を施した、もしくは無地の樹脂フィルムを片面もしくは両面に積層した積層シートを使用することもできる。
【００３６】
以上のようにされた容器は、内容物が収容された後に容器本体１に蓋２を嵌合させて閉蓋状態とされる。蓋２が透明であるので、蓋２の天面部２０から傾斜側面部２２にかけての領域を介して内容物を容易に視認できる。天面部２０が凹凸のない平坦な滑面であって、傾斜側面部２２もブロッキング防止用凸部２７を除いて凹凸のない滑面であるので、上方のみならず斜め上方からも内容物の状態を正確に視認できる。しかも、一対の長辺において両角部から辺中央部にかけて水平面部２４の幅が次第に狭くなっているので、長辺における天面部と傾斜側面部２２との間の部分においても、良好な視認性を確保できる。一対の長辺のうちの一方は正面に向けられることが多いので、店頭において容器を正面側から見たときの視認性に優れている。特に、一対の長辺の辺中央部において水平面部２４が実質上消滅していて垂下面部２１と傾斜側面部２２とが直接接続されていると、その辺中央部における視認性をより一層向上できる。更に、辺中央部において垂下面部２１と傾斜側面部２２とが直接接続された接続部２６が水平方向に所定長さを有していると、辺中央部における視認性がより一層向上され、食品をより一層くっきりと視認できる。従って、食品のおいしさを視覚を通じて消費者に正確に伝えることができる。
【００３７】
一方、水平面部２４の幅は辺中央部においては狭いものの角部においては広くなっているので、必要な強度も容易に確保することができる。尚、一対の短辺において水平面部２４が略一定幅で形成されている場合には、強度をより一層容易に確保できる。このように水平面部２４を設けると共に各角部において幅広としていることで、食品を収容した容器を積み重ねた際に上から蓋２に荷重がかかっても、蓋２の変形を防止でき、安定した積み重ね状態が得られる。即ち、主として四つの角部において積み重ね荷重に対する強度が確保されることになる。従って、過度に厚いシートを使用する必要がなくなり、薄いシートで必要な強度を確保することができるので、開蓋時において蓋２が容器本体１から開けにくくなるという現象が起こりにくい。また、一対の長辺の辺中央部において水平面部２４が幅狭ないしは実質上存在していない構成となっているので、積み重ね時に辺中央部近傍が荷重により変形したとしても、荷重が解放されると直ぐに形状が元に復元する。
【００３８】
尚、本実施形態では、平面視長方形状の容器について説明したが、平面視正方形状の容器であっもよい。図１０に平面視正方形状の容器の蓋２を示している。正方形状の蓋２の場合、四つの各辺において両角部から辺中央部にかけて水平面部２４が次第に幅狭となっていることが好ましい。
【符号の説明】
【００３９】
１    容器本体
２    蓋
１０    底面部
１１    本体側面部
１２    本体フランジ部
１３    仕切り壁
１４    溝
１５    脚部
１６    支持用凸部
１６ａ  下面
１７    係合凸部（係合部）
１７ａ  内側の側面
１８    本体縁取り部
２０    天面部
２１    垂下面部
２２    傾斜側面部
２３    蓋フランジ部（フランジ部）
２３１    フランジ上面部
２３２    スカート部
２３３    蓋縁取り部
２４    水平面部
２５    係止突起
２６    接続部
２７    ブロッキング防止用凸部
【図１】
2019018869.tif 000003
【図２】
2019018869.tif 000004
【図３】
2019018869.tif 000005
【図４】
2019018869.tif 000006
【図５】
2019018869.tif 000007
【図６】
2019018869.tif 000008
【図７】
2019018869.tif 000009
【図８】
2019018869.tif 000010
【図９】
2019018869.tif 000011
【図１０】
2019018869.tif 000012
【手続補正書】
【提出日】平成30年11月6日(2018.11.6)
【手続補正１】
【補正対象書類名】特許請求の範囲
【補正対象項目名】請求項１
【補正方法】変更
【補正の内容】
【請求項１】
透明な合成樹脂製シートからなり、容器本体と嵌合する構成の包装用容器の蓋であって、
多角形状である平面状の天面部と、該天面部の周縁部の全周から下方へ垂下する垂下面部と、下側且つ外側に向けて傾斜して延びる傾斜側面部と、該傾斜側面部から外側に延設されたフランジ部とを備え、
垂下面部の下端部と傾斜側面部の上端部は、水平方向に延びる水平面部を介して接続されており、該水平面部の幅は、多角形状の少なくとも一辺において両角部から辺中央部にかけて次第に狭くなっており、傾斜側面部は、上端部から下端部にかけて外側に膨出するように湾曲していることを特徴とする包装用容器の蓋。
【手続補正２】
【補正対象書類名】明細書
【補正対象項目名】０００７
【補正方法】変更
【補正の内容】
【０００７】
本発明は、上記課題を解決すべくなされたものであって、本発明に係る包装用容器の蓋は、透明な合成樹脂製シートからなり、容器本体と嵌合する構成の包装用容器の蓋であって、多角形状である平面状の天面部と、該天面部の周縁部の全周から下方へ垂下する垂下面部と、下側且つ外側に向けて傾斜して延びる傾斜側面部と、該傾斜側面部から外側に延設されたフランジ部とを備え、垂下面部の下端部と傾斜側面部の上端部は、水平方向に延びる水平面部を介して接続されており、該水平面部の幅は、多角形状の少なくとも一辺において両角部から辺中央部にかけて次第に狭くなっており、傾斜側面部は、上端部から下端部にかけて外側に膨出するように湾曲していることを特徴とする。